(57)【要約】【課題】  ダニやその死骸もしくは糞等に起因するいわゆるアレルゲンを掃除機で容易に吸い出しできる寝具カバーを提供する。【解決手段】  寝具カバー（１０）は、内容物を収納する直方体状の内袋（４０）の第１主面を覆う第１カバー（１２ａ）と、内袋の第１主面の反対側の第２主面を覆う第２カバー（１２ｂ）と、第１主面と第１カバーとの間に配置され、第１カバー及び第２カバーよりも目の粗い第１メッシュカバー（１４ａ）と、を備える。そして、利用者は、掃除機（ＶＣ）で第１メッシュカバーを介して第１主面の塵を吸引できる。【選択図】  図１
2020192228.tif 000002
【特許請求の範囲】
【請求項１】
内容物を収納する直方体状の内袋の第１主面を覆う第１カバーと、
前記内袋の前記第１主面の反対側の第２主面を覆う第２カバーと、
前記第１主面と前記第１カバーとの間に配置され、前記第１カバー及び前記第２カバーよりも目の粗い第１メッシュカバーと、を備え、
前記第１メッシュカバーを介して前記第１主面の塵を吸引できる寝具カバー。
【請求項２】
前記第１カバー及び前記第２カバーで形成される空間に前記内袋を出し入れする開口に設けられた第１封止手段をさらに備える、請求項１に記載の寝具カバー。
【請求項３】
前記第１メッシュカバーは、長手方向に伸びるスリットを有し、
前記スリットは、前記内袋を出し入れするために設けられる、請求項１に記載の寝具カバー。
【請求項４】
前記第１カバーは、前記第１メッシュカバーをすべて覆う大きさであり、前記第１カバーの一部を開放して前記第１メッシュカバーを見えるようにし、前記第１カバーの一部を封止して前記第１メッシュカバーを覆う第２封止手段をさらに備える、請求項１から請求項３のいずれか一項に記載の寝具カバー。
【請求項５】
前記第１カバーは、前記第１メッシュカバーの一部のみを覆うように中央領域に切り欠き部がある、請求項１又は請求項２に記載の寝具カバー。
【請求項６】
前記第２主面と前記第２カバーとの間に配置され、前記第１カバー及び前記第２カバーよりも目の粗い第２メッシュカバー、を備え、
前記第２カバーは、前記第２メッシュカバーをすべて覆う大きさであり、前記第２カバーの一部を開放して前記第２メッシュカバーを見えるようにし、前記第２カバーの一部を封止して前記第２メッシュカバーを覆う第３封止手段をさらに備える、請求項２又は請求項３に記載の寝具カバー。
【請求項７】
前記第１メッシュカバーの少なくとも四隅に刻み目が設けられる、請求項１に記載の寝具カバー。
【請求項８】
前記四隅には、前記内袋のズレ防止用のズレ防止紐が配置され、前記刻み目から結束可能である請求項７に記載の寝具カバー。
【発明の詳細な説明】
【技術分野】
【０００１】
本発明は、布団又は枕などに付着したダニやその糞、死骸を含むアレルゲン（ハウスダスト等）を掃除機で吸い出せるようにした寝具カバーに関するものである。
【背景技術】
【０００２】
じゅうたん、カーペット、畳、布団等にはダニが繁殖しやすく、人がこのダニの生体や死骸もしくは糞をアレルゲンとして吸引することにより、喘息、鼻アレルギー等を起こすことが知られている。ダニの防除方法としては、掃除機での吸引除去等があるが、寝具カバーの生地目からダニの生体を吸引することが難しい上に、寝具カバーから布団を取り出してダニを吸引することは面倒であり、掃除機でダニを吸引した後に、再び布団を寝具カバーに入れる手間も面倒である。このため、特許文献１に開示される発明は、ダニなどのアレルゲンの通過を抑制することができる寝具カバーを提案している。
【先行技術文献】
【特許文献】
【０００３】
【特許文献１】特許２００９−９５４７４号公報
【発明の概要】
【発明が解決しようとする課題】
【０００４】
しかしながら、特許文献１で提案される寝具カバーのカバー素材は、ダニ等のアレルゲンの通過を制限する素材で形成されているため、一度カバー内に入り込んだダニの生体やその糞、死骸を含むハウスダストの除去が困難になるという問題があった。
【課題を解決するための手段】
【０００５】
実施形態の寝具カバーは、内容物を収納する直方体状の内袋の第１主面を覆う第１カバーと、内袋の第１主面の反対側の第２主面を覆う第２カバーと、第１主面と第１カバーとの間に配置され、第１カバー及び第２カバーよりも目の粗い第１メッシュカバーと、を備える。そして、利用者は、掃除機で第１メッシュカバーを介して第１主面の塵を吸引できる。
【０００６】
また、寝具カバーは、第１カバー及び第２カバーで形成される空間に内袋を出し入れする開口に設けられた第１封止手段をさらに備えることが好ましい。また第１メッシュカバーは、長手方向に伸びるスリットを有してもよい。このスリットを使って、内袋を出し入れすることができる。
【０００７】
さらに第１カバーは、第１メッシュカバーをすべて覆う大きさであり、第１カバーの一部を開放して第１メッシュカバーを見えるようにし、第１カバーの一部を封止して第１メッシュカバーを覆う第２封止手段をさらに備えてもよい。
また第１カバーは、第１メッシュカバーの一部のみを覆い、中央領域に切り欠き部があってもよい。
【０００８】
実施形態の寝具カバーは、第２主面と第２カバーとの間に配置され、第１カバー及び第２カバーよりも目の粗い第２メッシュカバー、を備えてもよい。そして第２カバーは、第２メッシュカバーをすべて覆う大きさであり、第２カバーの一部を開放して第２メッシュカバーを見えるようにし、第２カバーの一部を封止して第２メッシュカバーを覆う第３封止手段をさらに備えることが好ましい。
また第１メッシュカバーの少なくとも四隅に刻み目が設けられてもよい。この刻み目を使って、利用者は内袋のズレ防止用の紐を結束することができる。
【発明の効果】
【０００９】
この発明の寝具カバーは、ぐっすりと眠りやすい素材でありながら、アレルゲンを簡単に吸引することができる。
【図面の簡単な説明】
【００１０】
【図１】第１実施形態の掛け布団５０を示す斜視図である。
【図２】第１実施形態の掛け布団カバー１０を備えた掛け布団５０を示す図であり、（Ａ）は（Ｂ）のＡ−Ａ断面図であり、（Ｂ）は布団カバー１０の正面図である。
【図３】第１舌片カバー１２ｃが開けられた掛け布団カバー１０を示す正面図である。
【図４】第２実施形態の掛け布団７０を示す斜視図である。
【図５】掛け布団カバー６０を備えた掛け布団７０を示す図であり、（Ａ）は（Ｂ）のＡ−Ａ断面図であり、（Ｂ）は布団カバー６０の正面図であり、内袋４５が点線で描かれている。
【図６】第２実施形態の掛け布団９０を示す斜視図である。
【図７】掛け布団カバー８０を備えた掛け布団９０を示す図であり、（Ａ）は（Ｂ）のＡ−Ａ断面図であり、（Ｂ）は布団カバー８０の正面図であり、内袋４７が点線で描かれている。
【発明を実施するための形態】
【００１１】
以下、図面を参照しながら実施形態に係る寝具カバーの第１実施形態及び第２実施形態について説明する。第１実施形態及び第２実施形態において、寝具カバーとして掛け布団カバーを使って説明するが、これに限定されない。寝具カバーには、敷布団カバー、枕カバー、こたつ布団カバー等のダニが発生しやすい内袋を覆うカバーに適用できる。また、以下の説明では、同一又は相当する要素には同一の符号を付し、重複する説明を省略する。なお、説明に用いる各図は発明を理解できる程度に概略的に示してあり、大きさ、角度又は厚み等が誇張されている箇所もある。
【００１２】
＜第１実施形態＞
図１は、第１実施形態に係る掛け布団カバー１０を備えた掛け布団５０を示す斜視図である。掛け布団５０は、直方体状であり、利用者があおむけに寝た姿勢（仰臥位）で頭側が＋Ｘ軸方向で脚側が−Ｘ軸方向になるように使用される。掛け布団カバー１０は、直方体状の内袋４０（図２を参照）の表面（第１主面）を覆う第１カバー１２ａと、内袋の裏面（第２主面）を覆う第２カバー１２ｂとを有している。
【００１３】
第１カバー１２ａ及び第２カバー１２ｂは長方形状であり、綿、麻、レーヨン、シルク、羊毛、アクリルもしくはポリエステル等の素材又はそれら２以上を組み合わせた混紡素材からなる。第１カバー１２ａ及び第２カバー１２ｂは、利用者の首や腕などの肌に接するので、肌触りが良く吸湿性に優れていることが好ましい。第１カバー１２ａ及び第２カバー１２ｂは、マチ付きで形成されている。以下マチ付きで説明するが、マチを設けなくても良い。第１カバー１２ａの少なくとも３辺は第２カバー１２ｂの３辺に縫い合わされており、１辺は内袋４０を掛け布団カバー１０内に入れたり掛け布団カバー１０から出したりする開口用に縫い合わされていない。Ｚ軸方向に中間位置に形成された開口にはＸ軸方向に伸びる第１封止手段２０が設けられており、第１封止手段２０はこの開口を開けたり閉めたりすることができる。例えば第１カバー１２ａ及び第２カバー１２ｂは、綿番手４０の糸を経緯1インチ間に１５０から２２０本程度で織り込んだ生地が使用される。
【００１４】
第１カバー１２ａは、開閉することができる第１舌片カバー１２ｃを有する。第１舌片カバー１２ｃは長方形状であり、その３辺に第２封止手段３０が設けられており、１辺は第１カバー１２ａとつながっている。図１に示されるように、第１舌片カバー１２ｃは＋Ｘ軸側の１辺で第１カバー１２ａとつながり、第２封止手段３０が無い。これは、利用者が仰臥位で寝た状態で、利用者の首や腕が第２封止手段３０に接しないようにするためである。利用者の首や腕が接しても不快感がない第二封止手段を用いる場合は第二封止手段の取り付け方向を変えても良い。
【００１５】
第１カバー１２ａ及び第１舌片カバー１２ｃと内袋４０との間には、第１カバーよりも目の粗い第１メッシュカバー１４ａが、内袋４０を覆うように設けられている。ダニアレルギーの原因となるダニ由来のハウスダストの主な生産者はヤケヒョウダニ、コナヒョウダニであり、その生体は０．４mm程度であることから、第１メッシュカバー１４ａは、０．５mm角相当以上の大きさの目（隙間）であることが好ましい。メッシュの目が大きくなるほどアレルゲンの吸引が容易になるが、縫製時に当て布を用いる必要が生じる為、メッシュの目が３mm〜５mm程度の直接縫製が出来るメッシュを使用することでコストダウンを図ることができる。メッシュ素材はポリエステル、レーヨン、綿、ナイロン等の素材又はそれらを２以上組み合わせた混合素材からなる。利用者は、掃除機ＶＣの掃除機ヘッドＮＺを使って、内袋４０の表面（＋Ｚ方向側）にある埃やダニの死骸などのアレルゲンを、第１メッシュカバー１４ａを介して吸引できる。別の言い方をすると、利用者は、掛け布団カバー１０から内袋４０を取り出すことなく、内袋４０の表面（＋Ｚ方向側）にある埃やダニの死骸などのアレルゲンを、吸引できる。
【００１６】
第１カバー１２ａのような寝具の生地に掃除機ＶＣの掃除機ヘッドＮＺを直接当てて吸引した場合、生地が掃除機ヘッドＮＺから吸い込まれて掃除機ヘッドＮＺが動かしにくくなり、広範囲の吸引が困難となる。本実施形態では第１メッシュカバー１４ａ越しに吸引することで、効果的にアレルゲンを吸引しながら寝具の生地を吸い込むことを防ぎ、掃除機ヘッドＮＺの離脱が簡単に行える。そのことにより広範囲の吸引を素早く行うことが出来、これまでは場所、時間、体力を要していたダニなどの吸引を利用者は簡単に行うことができる。
【００１７】
図２は、第１舌片カバー１２ｃが閉じられた掛け布団カバー１０を備えた掛け布団５０を示す図であり、図２（Ａ）は図２（Ｂ）のＡ−Ａ断面図であり、図２（Ｂ）は＋Ｚ軸方向からーＺ軸方向を見た布団カバー１０の正面図である。
【００１８】
掛け布団カバー１０の−Ｙ軸方向に第１封止手段２０が設けられている。第１封止手段２０は例えば金属もしくは樹脂ファスナーであり、金属もしくは樹脂ファスナーはスライダー２２及びジップ２４を有している。金属もしくは樹脂ファスナー以外にも、第１封止手段２０として、凸ボタン及び凹ボタンからなるスナップボタン、複数のフック及びループを有する面ファスナー等を使用することができる。
【００１９】
掛け布団カバー１０の表側である第１カバー１２ａは、閉じたときに第１舌片カバー１２ｃが第１カバー１２ａと一体になるように、第２封止手段３０が設けられている。第２封止手段３０は例えば金属もしくは樹脂ファスナーであり、金属もしくは樹脂ファスナーはスライダー３２及びジップ３４を有している。金属もしくは樹脂ファスナー以外にも、第２封止手段３０として、凸ボタン及び凹ボタンからなるスナップボタン、複数のフック及びループを有する面ファスナー等を使用することができる。第１舌片カバー１２ｃは、掃除機ＶＣの掃除機ヘッドＮＺを使って、内袋４０の表面を掃除しやすくするため、掛け布団カバー１０の表側で大きな割合を占めることが好ましい。第１実施形態では第１舌片カバー１２ｃは、掛け布団カバー１０のＸＹ面の８０％以上を占めている。
【００２０】
図２（Ａ）で示されるように、掛け布団カバー１０の裏側である第２カバー１２ｂにも、第２封止手段３０（スライダー３２及びジップ３４）が設けられている。つまり、第２カバー１２ｂにも、第１舌片カバー１２ｃと同様な第２舌片カバー１２ｄが設けられる。また第２カバー１２ｂ及び第２舌片カバー１２ｄと内袋４０との間には、第２カバーよりも目の粗い第２メッシュカバー１４ｂが、内袋４０を覆うように設けられている。特に図示しないが、利用者が掛け布団５０を裏返して第２舌片カバー１２ｄを開けると、図１で示したように、第２メッシュカバー１４ｂが現れ、利用者は、掛け布団カバー１０から内袋４０を取り出すことなく、内袋４０の裏面（−Ｚ方向側）にある埃やダニの死骸などのアレルゲンを、吸引できる。
【００２１】
直方体の内袋４０は、掛け布団５０の芯材として機能する。内袋４０は、側生地４４とその内部に内容物４２を備える。この内容物４２によって、掛け布団５０はＺ軸方向に盛り上がる形状となる。内容物４２は、例えば、真綿、木綿、ポリエステル綿、アクリル樹脂系綿、羽毛（羽根）又は羊毛等であり、内容物４２の種類は、真綿に限られず適宜変更可能である。
【００２２】
側生地４４は、生きたダニが通過せず、またダニ等の死骸が細かくなったものが通過しない高密度織物又は高密度不織布で形成されることが好ましい。例えば高密度織物は５０デニールの糸を経緯１インチ間に３８０本程度（縦２２０本×横１６０本程度）織り込んだ生地で、織目の隙間が極めて小さく、ダニ及びダニの排泄物、死骸が細かくなったものが通りにくい繊維からなる。さらに高密度織物にカレンダー加工等の目止め加工等を施すことが好ましい。カレンダー加工は、熱と圧力で生地の目（隙間）を潰す加工である。高密度織物又は高密度不織布の素材は、綿、麻、レーヨン、羊毛、アクリル、ナイロンもしくはポリエステル等の素材又はそれら２以上を組み合わせた混紡素材からなる。高密度織物又は高密度不織布は、溶着、熱溶着を施してダニ及びその糞、死骸が入り込まない構造にすることが好ましい。または、針孔からダニが中に入れない構造に縫製したり、膨張する糸や後加工で溶かして針孔を塞ぐ糸などを使用したりして、ダニが中に入れない構造にしても良い。側生地４４が、高密度織物又は高密度不織布であると硬くて肌触りが良くないが、利用者の肌が直接触れることがないため、利用者はそれほど不快に思わない。また、側生地４４が高密度織物又は高密度不織布で形成されていなくても、掛け布団カバー１０を使用すれば、内袋４０の表裏側からアレルゲンを吸引することが可能である。
【００２３】
図２（Ａ）の拡大図で示されるように、第１メッシュカバー１４ａの一方端（−Ｙ軸方向側）は、第１カバー１２ａのマチ部分のジップ２４の周辺に縫い合わされており、また図示しない第１メッシュカバー１４ａの他方端（＋Ｙ軸方向側）も、第１カバー１２ａのマチ部分に縫い合わされている。第１メッシュカバー１４ａの±Ｘ軸方向側も同様である。また、第２メッシュカバー１４ｂの±Ｘ軸方向側も±Ｙ軸方向側も同様である。
【００２４】
図３は、第１舌片カバー１２ｃが開けられた掛け布団カバー１０を示す正面図である。第１メッシュカバー１４ａの角の四隅には、刻み目１６が形成されている。第１メッシュカバー１４ａと第２メッシュカバー１４ｂとの間で、その四隅には、内袋４０が掛け布団カバー１０内でずれないようにずれ防止紐１８が設けられている。内袋４０の四隅にも不図示の紐もしくは結束部（スナップボタン、ループ紐など）が設けられており、ずれ防止紐１８と不図示の紐もしくは結束部とが結束される。この結束の作業を利用者が行い易いように、刻み目１６が形成されている。つまり利用者は刻み目１６から手を入れて、ずれ防止紐１８と不図示の紐もしくは結束部とを容易に結束できる。さらにずれ防止紐１８を色分けし内袋４０の紐にも色分けして、利用者に同じ色同士の紐を結ぶようにしてもよい。
【００２５】
なお、内袋４０が、掛け布団カバー１０内でずれないように、四隅だけでなくＸ軸方向の中間位置にも紐もしくは結束部を有している場合には、刻み目１６を第１メッシュカバー１４ａの少なくともＸ軸方向もしくはＹ軸方向の一方又は両方の中間位置にも形成し、合計６カ所から８カ所の刻み目１６を設けてもよい。第２メッシュカバー１４ｂには必ずしも刻み目１６を設ける必要はないが、設けても問題ない。
【００２６】
＜第２実施形態＞
図４は、第２実施形態に係る掛け布団カバー６０を備えた掛け布団７０を示す斜視図である。掛け布団７０は、直方体状であり、利用者があおむけに寝た姿勢（仰臥位）で頭側が＋Ｘ軸方向で脚側が−Ｘ軸方向になるように使用される。掛け布団カバー７０は、複数の直方体状の内袋４５（図５を参照）の表面（第１主面）を覆う第１カバー６２ａと、内袋４５の裏面（第２主面）を覆う第２カバー６２ｂとを有している。
【００２７】
第１実施形態と同様に、第１カバー６２ａ及び第２カバー６２ｂは長方形状であり、綿、麻等の素材又はそれら２以上を組み合わせた混紡素材からなる。第１カバー６２ａ及び第２カバー６２ｂは、利用者の首や腕などの肌に接するので、肌触りが良く吸湿性に優れていることが好ましい。第１カバー６２ａの４辺は第２カバー６２ｂの４辺に縫い合わされており、第１実施形態とは異なり、布団カバー６０の側部に開口がなく第１封止手段２０もない。
【００２８】
第１実施形態と同様に、第１カバー６２ａは、開閉することができる第１舌片カバー６２ｃを有する。また図５（Ａ）で示されるように、掛け布団カバー６０の裏側である第２カバー６２ｂにも、第１舌片カバー６２ｃと同様な第２舌片カバー６２ｄが設けられる。第１舌片カバー６２ｃ及び第２舌片カバー６２ｄには、第２封止手段３０（スライダー３２及びジップ３４）が設けられている。図４に示されるように、第１舌片カバー６２ｃは＋Ｘ軸側の１辺で第１カバー６２ａとつながり、利用者が仰臥位で寝た状態で、利用者の首や腕が第２封止手段３０に接しない。
【００２９】
図４に示されるように、第１舌片カバー６２ｃを開けると第１メッシュカバー６４ａが現れる。第１実施形態の第１メッシュカバー１４ａと異なり、第２実施形態の第１メッシュカバー６４ａは、Ｙ軸方向に２つに分かれており、長手方向であるＸ軸方向にスリット部６４ｅが形成されている。スリット部６４ｅの幅（Ｙ軸方向）は、掛け布団カバー６０の幅（Ｙ軸方向）の例えば１／３から１／５であり、少なくとも半分以下であることが好ましい。利用者は、第１封止手段２０が無い代わりに、このスリット６４ｅから内袋４５を掛け布団カバー６０内に入れることが可能である。スリット６４ｅの領域では、内袋４５の表面の側生地４４が現れている。
【００３０】
図５は、掛け布団カバー６０を備えた掛け布団７０を示す図であり、図５（Ａ）は図５（Ｂ）のＡ−Ａ断面図であり、図５（Ｂ）は＋Ｚ軸方向からーＺ軸方向を見た、第１舌片カバー１２ｃが開けられた布団カバー８０の正面図である。なお、図５（Ｂ）では第１メッシュカバー６４ａで隠れる内袋４５の一部が点線で描かれている。
【００３１】
掛け布団カバー６０の第１舌片カバー６２ｃを開けると、利用者は、掃除機ＶＣの掃除機ヘッドＮＺを使って、直接もしくは第１メッシュカバー６４ａを介して内袋４５の表面を、±Ｘ軸方向の端から±Ｙ軸方向の端まで吸引することができる。図５（Ａ）に示されるように、第２メッシュカバー６４ｂには、スリット６４ｅが形成されていない。掛け布団カバー６０の第２舌片カバー６２ｄを開けると、利用者は、掃除機ＶＣの掃除機ヘッドＮＺを使って、第２メッシュカバー６４ｂを介して内袋４５の表面を±Ｘ軸方向の端から±Ｙ軸方向の端まで吸引することができる。
【００３２】
上述したように、第１メッシュカバー６４ａのスリット部６４ｅは、内袋４５を入れるため形成されている。このため、第２メッシュカバー６４ｂには、スリット６４ｅが形成されていなくてもよいが、必要に応じて第２メッシュカバー６４ｂにスリット６４ｅを形成してもよい。
【００３３】
直方体の内袋４５は、掛け布団９０の芯材として機能する。内袋４５は、第１実施形態と同様に側生地４４とその内部に内容物複数の４２を備える。１つの内袋４５は例えば１５０ｃｍ（Ｙ軸方向）×４２ｃｍ（Ｘ軸方向）の大きさで形成される。このようなサイズにすることでよって、家庭用洗濯乾燥機に入れやすくなり熱処理によるダニ退治も容易となる。図５（Ｂ）では５つの内袋４５は個々に形成され、Ｘ軸方向の辺が溶着等で接合されていない。利用者が、１つ１つの内袋４５を第１メッシュカバー６４ａのスリット部６４ｅから入れやすいように、第１メッシュカバー６４ａと第２メッシュカバー６４ｂとの間に、仕切り壁６９が設けられている。仕切り壁６９は布団カバー又はメッシュカバーと同じ素材であることが好ましい。仕切り壁６９が設けられている場合には、第１実施形態で説明した刻み目１６及びずれ防止紐１８を設ける必要はない。また必ずしも仕切り壁６９が設けられる必要はない。仕切り壁６９がない場合は、内袋４５は例えば１５０ｃｍ（Ｙ軸方向）×２１０ｃｍ（Ｘ軸方向）の大きさであってもよい。
【００３４】
＜第３実施形態＞
図６は、第３実施形態に係る掛け布団カバー８０を備えた掛け布団９０を示す斜視図である。掛け布団９０は、直方体状であり、利用者があおむけに寝た姿勢（仰臥位）で頭側が＋Ｘ軸方向で脚側が−Ｘ軸方向になるように使用される。掛け布団カバー８０は、複数の直方体状の内袋４７（図７を参照）の表面（第１主面）を覆う第１カバー８２ａと、内袋４７の裏面（第２主面）を覆う第２カバー８２ｂとを有している。
【００３５】
第１実施形態と同様に、第１カバー８２ａ及び第２カバー８２ｂは長方形状であり、綿、麻等の素材又はそれら２以上を組み合わせた混紡素材からなる。第１カバー８２ａ及び第２カバー８２ｂは、利用者の首や腕などの肌に接するので、肌触りが良く吸湿性に優れていることが好ましい。第１カバー８２ａは、中央領域が角丸長方形もしくは楕円状に切り欠かれて、切り欠き部８２ｅが形成されている。第１カバー８２ａの少なくとも３辺は第２カバー８２ｂの３辺に縫い合わされており、１辺は複数の内袋４７を掛け布団カバー８０内に入れたり掛け布団カバー８０から出したりする開口用に縫い合わされていない。この開口にはＸ軸方向の伸びる第１封止手段２０（スライダー２２及びジップ２４）が設けられており、第１封止手段２０はこの開口を開けたり閉めたりすることができる。
【００３６】
第１カバー８２ａと内袋４７との間には、第１カバー８２ａよりも目の粗い第１メッシュカバー８４が、内袋４７を覆うように設けられている。第１メッシュカバー８４は、０．５ｍｍ角相当以上の大きさの目（隙間）であることが好ましい。利用者は、掃除機ＶＣの掃除機ヘッドＮＺを使って、内袋４７の表面（＋Ｚ方向側）にある埃やダニの死骸などのアレルゲンを、第１メッシュカバー８４を介して吸引できる。別の言い方をすると、利用者は、掛け布団カバー８０から内袋４７を取り出すことなく、内袋４７の表面にある埃やダニの死骸などのアレルゲンを、吸引できる。
【００３７】
図７は、掛け布団カバー８０を備えた掛け布団９０を示す図であり、図７（Ａ）は図７（Ｂ）のＡ−Ａ断面図であり、図７（Ｂ）は＋Ｚ軸方向からーＺ軸方向を見た布団カバー８０の正面図である。なお、図７（Ｂ）では内袋４７が点線で描かれている。
【００３８】
掛け布団カバー８０の表側である第１カバー８２ａは、切り欠き部８２ｅで第１メッシュカバー８４とつながっておらず、第１カバー８２ａを上（＋Ｚ軸方向）に持ち上げることができる。利用者は、掃除機ＶＣの掃除機ヘッドＮＺを使って、内袋４７の±Ｘ軸方向の端から±Ｙ軸方向の端まで吸引する。内袋４７の表面を掃除しやすくするため、切り欠き部８２ｅは掛け布団カバー８０の表側で大きな割合を占めることが好ましい。第３実施形態では切り欠き部８２ｅは、掛け布団カバー８０のＸＹ面の８０％から９０％を占めている。切り欠き部８２ｅが９０％以上大きくなると、利用者の首や腕が第１メッシュカバー８４に接触するため、好ましくない。
【００３９】
図７（Ａ）で示されるように、掛け布団カバー８０の裏側である第２カバー８２ｂには、切り欠き部が形成されていない。このため利用者が、掃除機ＶＣの掃除機ヘッドＮＺを使って、第１メッシュカバー８４を介して内袋４７の裏側（−Ｚ軸側）のアレルゲンを吸引できるように、複数の内袋４７の間には貫通孔４９が形成されている。
【００４０】
直方体の内袋４７は、掛け布団９０の芯材として機能する。内袋４７は、第１実施形態と同様に側生地４４とその内部に内容物４２を備える。１つの内袋４７は例えば３０ｃｍ（Ｙ軸方向）×４０ｃｍ（Ｘ軸方向）の大きさで形成される。複数の内袋４７はダニなどが入り込まないようにそれぞれＸＹ方向の辺が溶着等で接合され、掛布団の大きさの一つの内袋を形成している。この内袋４７以外にも、一つの内袋に複数の孔を開けてその穴を溶着しカシメたり菊穴を形成したりしてもよい。
【００４１】
図７（Ａ）の拡大図で示されるように、第１メッシュカバー８４の一方端（−Ｙ軸方向側）は、ジップ２４の周辺に縫い合わされており、また図示しない第１メッシュカバー８４の他方端（＋Ｙ軸方向側）は、第１カバー８２ａと第２カバー８２ｂとを縫い合わせた周辺に縫い合わされている。第１メッシュカバー８４の±Ｘ軸方向側も同様である。なお、図７（Ｂ）で描かれた第１メッシュカバー８４には、第１実施形態の刻み目１６及びずれ防止紐１８が描かれていないが、第３実施形態の第１メッシュカバー８４に刻み目１６及びずれ防止紐１８があってもよい。
【符号の説明】
【００４２】
１０，６０，８０…寝具カバー（掛け布団カバー）
１２ａ，６２ａ，８２ａ…第１カバー
１２ｃ，６２ｃ…第１舌片カバー
１２ｂ，６２ｂ，８２ｂ…第２カバー、
１２ｄ，６２ｄ…第２舌片カバー
１４ａ、６４ａ、８４…第１メッシュカバー
１４ｂ、６４ｂ…第２メッシュカバー
１６…刻み目
１８…ずれ防止紐
２０…第１封止手段（２２…スライダー、２４…ジップ）
３０…第２封止手段（３２…スライダー、３４…ジップ）
４０，４５，４７…内袋
４２…内容物（真綿、木綿、ポリエステル綿、羽毛（羽根）等）
４４…側生地
４９…貫通孔
５０，７０、９０…掛け布団
６４ｅ…スリット
６９…仕切り壁
８２e…切り欠き部
【図１】
2020192228.tif 000003
【図２】
2020192228.tif 000004
【図３】
2020192228.tif 000005
【図４】
2020192228.tif 000006
【図５】
2020192228.tif 000007
【図６】
2020192228.tif 000008
【図７】
2020192228.tif 000009